(57)【要約】【課題】時計サイズを大型化させることなく、アンテナ特性を向上させることができるアンテナ内蔵式電子時計を提供する。【解決手段】電波修正時計１は、アンテナ２１と、モーターコイル４１２およびステーター４１３を有するモーター４１１と、制御手段とを備える。ステーター４１３とアンテナ２１のコア２１１とは、磁気結合部材５０を介して磁気結合する。前記制御手段は、受信動作中、モーターコイル４１２を短絡状態にする。外部無線情報は、モーターコイル４１２を通過する際にその磁界強度が高められ、磁気結合部材５０を介してアンテナコア２１１に流れるため、アンテナ２１内を通過する磁束量が高まり、アンテナ特性が向上する。【選択図】図３
2010223920.tif 000002
【特許請求の範囲】
【請求項１】
アンテナと、無線通信手段と、時刻表示手段と、前記無線通信手段および時刻表示手段を制御する制御手段とを備え、
前記アンテナは、コアおよびコアに巻かれたコイルにより構成され、
前記時刻表示手段は、モーターコイルおよびステーターを有するモーターと、このモーターを駆動する駆動部と、このモーターによって駆動される表示部とを備えて構成され、
前記アンテナおよびモーターは、平面位置が互いに異なる位置に配置され、
前記アンテナのコアの少なくとも一方の端部と、前記モーターのステーターとに接触して配置され、前記コアおよびステーターを磁気結合する磁気結合部材が設けられ、
前記制御手段は、前記無線通信手段を駆動している間、前記モーターコイルを短絡状態にする
ことを特徴とするアンテナ内蔵式電子時計。
【請求項２】
請求項１に記載のアンテナ内蔵式電子時計において、
前記コア、磁気結合部材、ステーターは互いに電気的に絶縁されている
ことを特徴とするアンテナ内蔵式電子時計。
【請求項３】
請求項１または請求項２に記載のアンテナ内蔵式電子時計において、
前記アンテナおよびモーターは、外装ケースの内周面に沿って配置されている
ことを特徴とするアンテナ内蔵式電子時計。
【請求項４】
請求項１から請求項３のいずれかに記載のアンテナ内蔵式電子時計において、
前記コアは、積層されたアモルファス金属箔からなる磁性体で構成されている
ことを特徴とするアンテナ内蔵式電子時計。
【請求項５】
請求項１から請求項４のいずれかに記載のアンテナ内蔵式電子時計において、
前記モーターは複数設けられ、一つのモーターのステーターと前記アンテナのコアの一方の端部とが磁気結合部材を介して磁気結合され、他の一つのモーターのステーターと前記アンテナのコアの他方の端部とが他の磁気結合部材を介して磁気結合されている
ことを特徴とするアンテナ内蔵式電子時計。
【発明の詳細な説明】
【技術分野】
【０００１】
本発明は、アンテナにより時刻情報等を含んだ外部無線情報を受信可能なアンテナ内蔵式電子時計に関する。
【背景技術】
【０００２】
従来、時刻情報を有する外部無線情報をアンテナにて受信し、時刻修正などの処理を実施する電波修正時計などのアンテナ内蔵式電子時計が知られている。このようなアンテナが内蔵された電子時計においては、アンテナ特性を向上させる各種構成が考えられている（例えば、特許文献１および２参照）。
【０００３】
特許文献１に記載の腕時計は、発電コイルから発生する磁界がアンテナに重畳すると標準電波を受信できない可能性があるため、アンテナと発電コイルの間に磁界遮蔽部材となるステッピングモーターのコイルコアを配置する構成が採られている。
【０００４】
また、特許文献２に記載の腕時計は、指針を駆動するモーターの駆動に伴い発生するノイズが受信性能に悪影響を与える可能性があるため、アンテナの軸方向に隣接してモーターコイルを配置することで磁気的に結合させ、アンテナの無給電素子として機能させる構成が採られている。
【先行技術文献】
【特許文献】
【０００５】
【特許文献１】特開２００４−７７４９１号公報
【特許文献２】特開２００５−４９１５４号公報
【発明の概要】
【発明が解決しようとする課題】
【０００６】
ところで、特許文献１に記載のようにアンテナと発電コイルの間に磁界遮蔽部材となるステッピングモーターのコイルコアを配置する構成では、磁界を遮蔽するためにステッピングモーターのコイルコアの大きさ寸法を大きくすると、その分だけ時計モジュールが大型化し、時計の薄型化および小型化が困難となるという問題がある。
【０００７】
また、特許文献２に記載のように、腕時計のように狭いスペース内にアンテナの軸方向に当接してモーターコイルを配置することで磁気的に結合させる場合、歯車などの他の部材が接続されているモーターをアンテナに隣接するように設計し直すことが難しい。
このため、既存の時計では、モーターを用いて磁気特性を向上させることは難しく、また、モーターをアンテナに近接配置して磁気結合を確保するような時計を設計する場合でも、モーターが移動することで、各輪列などの配置も見直さなければならず、設計や製造が難しいという問題がある。
さらに、アンテナおよびモーターコイルを隣接配置させるだけでは十分な磁気結合を確保することが難しく、受信性能を向上することが難しいという問題がある。
【０００８】
本発明は、上記のような問題に鑑みて、時計サイズを大型化させることなく、アンテナ特性を向上させることができるアンテナ内蔵式電子時計を提供することを目的とする。
【課題を解決するための手段】
【０００９】
本発明のアンテナ内蔵式電子時計は、アンテナと、無線通信手段と、時刻表示手段と、前記無線通信手段および時刻表示手段を制御する制御手段とを備え、前記アンテナは、コアおよびコアに巻かれたコイルにより構成され、前記時刻表示手段は、モーターコイルおよびステーターを有するモーターと、このモーターを駆動する駆動部と、このモーターによって駆動される表示部とを備えて構成され、前記アンテナおよびモーターは、平面位置が互いに異なる位置に配置され、前記アンテナのコアの少なくとも一方の端部と、前記モーターのステーターとに接触して配置され、前記コアおよびステーターを磁気結合する磁気結合部材が設けられ、前記制御手段は、前記無線通信手段を駆動している間、前記モーターコイルを短絡状態にすることを特徴とする。
【００１０】
この発明によれば、制御手段により、無線通信手段を駆動している間、つまり電波受信中にはモーターコイルは短絡されているので、磁気結合部材にモーターのステーターおよびアンテナのコアを接触させ、磁気結合部材を介してコアおよびステーターを磁気結合させた場合でも、モーターコイルのノイズが受信信号に影響することを防止できる。
そして、ノイズが発生していないステーターは、磁気結合部材を介してコアと磁気的に結合しているので、アンテナの無給電素子（非励磁素子）として機能させることができる。このため、外部無線情報（電波）を受信する際に、集磁効果を向上でき、アンテナ内を通過する磁束量も増えて受信特性を向上させることができる。
また、コアおよびステーターを、磁気結合部材を介して磁気的に結合しているので、アンテナおよびモーターがある程度離れていても磁気的に結合させることができる。このため、モーターやアンテナを近接させるために設計し直す必要もなく、既存のムーブメントにおいても磁気結合部材を追加することで対応することもでき、アンテナ内蔵式電子時計を容易に設計・製造することができる。
【００１１】
なお、ステーターおよびコアを磁気結合する磁気結合部材は、磁気結合部材の一方の端部がステーターに接触し、他方の端部がコアに接触して配置されていればよいが、特に、ステーターおよびコアが、磁気結合部材の両端部にそれぞれ重なって配置されて接触面積をある程度確保できていることが、磁気結合力を向上できる点で好ましい。
また、磁気結合部材はステーターおよびコアの端部にそれぞれ重なって接触するように配置されればよいので、磁気結合部材自体に厚みを必要とせず、磁気結合部材を設けるためのスペースを小さく設計することができる。つまり、ステーターとコアの間に電池やＩＣ等の他の部材が配置される場合でも、磁気結合部材がステーターおよびコアにそれぞれ接触するように配置することもでき、レイアウトの自由度を高めることができる。
また、アンテナのコアの一方の端部が、前記モーターのステーターに磁気結合部材で磁気的に結合されている場合、コアの他方の端部は、他の部材と非接触な状態としてもよいし、他のモーターのステーターに磁気結合部材で磁気的に結合されていてもよい。さらには、コアの他方の端部は、電池に磁気結合部材で磁気的に結合されていてもよい。
また、モーターによって駆動される表示部としては、時針、分針、秒針、クロノグラフ秒針等の各種指針に限らず、日付が印刷された日車等も含むものであり、時計で計時する各種時刻（年月日等も含む）、時間を表示するものであればよい。
【００１２】
さらに、本発明のアンテナ内蔵式電子時計では、前記コア、磁気結合部材、ステーターは互いに電気的に絶縁されていることが好ましい。
ここで、コアおよびステーターは、互いに離れて配置され、前記磁気結合部材にそれぞれが接触されているので、磁気結合部材として、例えば、絶縁体であるフェライト製のブロックを利用することで、前記コア、磁気結合部材、ステーターを互いに電気的に絶縁することができる。また、磁気結合部材として、アモルファス箔材のような導電性の部材を用いた場合には、磁気結合部材と、コア、ステーターとの接触面に非導電性の接着剤などを用いて絶縁層を設けることで、前記コア、磁気結合部材、ステーターを互いに電気的に絶縁することができる。
このように、前記コア、磁気結合部材、ステーターを互いに電気的に絶縁することができれば、コア−ステーター間は電流が流れないので、ステーター内で閉じている磁束が漏れることがなく、コアおよびステーターに磁気結合部材を磁気結合するように接触して配置した場合も、モーターの回転検出特性に影響を与えることを防止できる。
【００１３】
また、本発明のアンテナ内蔵式電子時計では、前記アンテナおよびモーターは、外装ケースの内周面に沿って配置されていることが好ましい。
アンテナおよびモーターが外装ケースの内周面に沿って配置されていれば、つまりアンテナおよびモーターの軸方向がケース内周面にほぼ沿っていれば、アンテナやモーターの端面が外装ケースの内周面に対向していないので、外装ケースを金属製とした場合でも、そのケース内に配置されるアンテナを、外装ケースに近接して配置することができ、アンテナ特性を向上できる。
すなわち、外装ケースを金属製にした場合には、アンテナやモーターのように電波の磁束が鎖交する部材の端面が、外装ケース内周面に対向して近接配置されると、電波がケースで減衰し、受信感度が数デシベル劣化してしまう。このため、アンテナ等の端面を外装ケースから離して配置しなければならないが、その場合には、腕時計のように小さな外装ケース内に配置されるアンテナの場合、アンテナの長さも短くなり、アンテナ特性が低下してしまう。
一方、本発明のように、アンテナ等を外装ケースの内周面に沿って配置すれば、アンテナを外装ケース内周面に近接配置しても、コアの端面は外装ケースからある程度離すことができる。従って、外装ケースを金属製とした場合でも、アンテナの受信感度の劣化を抑えることができ、アンテナの長さもある程度確保できて、アンテナ特性の低下も防止できるとともに、時計を小型化することもできる。
その上、外装ケースを金属製にできるため、金属調の外観が得られて高級感を高めることができる。
さらに、アンテナおよびモーターを外装ケースに沿って配置しているので、ケース内部のムーブメント等を配置するスペースを大きく確保でき、ケース内のスペースを有効に利用することができる。従って、時計の小型化をより促進できる。
なお、前記アンテナやモーターの軸方向とは、アンテナやモーターが直線状に形成されている場合はその長手方向であり、アンテナやモーターコイルの平面形状が円弧形状とされている場合、その軸線はアンテナ等の中心軸を通る円周方向となる。
【００１４】
さらに、本発明のアンテナ内蔵式電子時計では、前記コアは積層されたアモルファス金属箔からなる磁性体で構成されていることが好ましい。この際、アモルファス箔の積層方向は時計の厚さ方向でもよいし、時計の平面方向（前記厚さ方向に直交する方向）でもよい。
積層アモルファス箔としては、コバルト系アモルファス金属、鉄系アモルファス金属磁性材料等の各種アモルファス金属薄板が利用できる。このような磁性体コアとして、積層アモルファス箔を用いれば、磁束が流れる方向の断面積を小さくでき、磁束変化により生じる渦電流が抑制され、鉄損を小さくできる。すると、渦電流により生じる磁界を抑制することができ、結果としてアンテナの受信感度を向上させることができる。
また、アモルファス箔の積層方向を時計の厚さ方向、つまり時計の裏蓋および表面ガラスを結ぶ方向にした場合には、アンテナの前記厚さ方向の寸法を小さくすることができる。すなわち、アモルファス箔の厚さ寸法は、通常、０．０１ｍｍ〜０．０５ｍｍ程度であり、このアモルファス箔を１０〜３０枚程度積層してアンテナが構成される。従って、コアのアモルファス積層方向の厚さ寸法は、最大でも１．５ｍｍ程度であり、従来のフェライトコアなどに比べて非常に薄くすることができる。このため、時計自体の厚さ寸法も小さくでき、薄型で高級感のある時計を提供できる。
さらに、アモルファス箔の積層方向を時計の平面方向、つまり時計の裏蓋および表面ガラスを結ぶ方向に対して直交する方向にした場合には、アンテナの前記平面方向の寸法を小さくすることができる。このため、時計内部においてアンテナが占める平面スペースを小さくでき、ムーブメント等の配置スペースを大きくすることができる。また、アンテナを外装ケース内周面に沿って平面略円弧状に形成する場合、矩形状に切り出したアモルファス箔を湾曲させて積層すればよく、簡単かつ効率的に製造することができる。
【００１５】
また、本発明のアンテナ内蔵式電子時計では、前記モーターは複数設けられ、一つのモーターのステーターと前記アンテナのコアの一方の端部とが磁気結合部材を介して磁気結合され、他の一つのモーターのステーターと前記アンテナのコアの他方の端部とが他の磁気結合部材を介して磁気結合されていることが好ましい。
腕時計のように狭いスペース内に複数のモーターが配置されている場合、アンテナを配置できるスペースが小さいのでアンテナ自身も小さくして収納しなくてはならない。そこで、アンテナのコアの各端部を、磁気結合部材を介してそれぞれ各モーターのステーターに磁気結合させることにより、集磁効果が高まり、より多くの磁束線を集めることができるので、アンテナ自身を大きくした時と同じ効果を得ることができる。したがって、集磁効果の向上により、よりアンテナ特性を向上させることができる。
【図面の簡単な説明】
【００１６】
【図１】本発明の第一実施形態の電波修正時計の構成を示すブロック図である。
【図２】前記第一実施形態の電波修正時計の受信回路の構成を示すブロック図である。
【図３】前記第一実施形態の電波修正時計の概略構成を示す平面図である。
【図４】前記第一実施形態の電波修正時計における厚み方向に切断した断面図である。
【図５】アンテナによる電波の受信を説明する概念図である。
【図６】モーターの駆動回路を示す回路図である。
【図７】前記第一実施形態の電波修正時計の要部を示す断面図である。
【図８】モーターの運針を説明するタイミングチャートである。
【図９】アンテナとモーターとの距離に対するアンテナ特性を示すグラフである。
【図１０】本発明の第二実施形態に係る電波修正時計の要部を示す断面図である。
【図１１】本発明の第三実施形態のアンテナを示す図である。
【図１２】本発明の第四実施形態に係る電波修正時計の要部を示す概略平面図である。
【図１３】本発明の第五実施形態に係る電波修正時計の要部を示す概略平面図である。
【発明を実施するための形態】
【００１７】
［第一実施形態］
以下、本発明に係る第一実施形態について、図面に基づいて説明する。
図１は、本発明の第一実施形態に係るアンテナ内蔵式電子時計としての電波修正時計１の構成を示すブロック図である。
【００１８】
図１において、電波修正時計１は、一般的な電波修正時計と同様の構成を備えるものであり、時刻情報を含む電波（外部無線情報）を受信する通信手段としての受信手段２と、駆動制御手段である駆動制御回路部３と、指針を駆動する駆動手段４と、時刻をカウントするカウンタ部６と、電力を供給する電力供給手段７と、リュウズなどの外部入力装置８とを備えて構成されている。
【００１９】
受信手段２は、電波を受けるアンテナ２１と、コンデンサー等で構成されてアンテナ２１で受信する電波に同調させる同調回路部２２と、アンテナ２１で受けた情報を処理する受信回路２３と、受信回路２３で処理された時刻データを記憶する時刻データ記憶回路部２４とを備えて構成されている。
アンテナ２１は、図３〜５、７に示すように、アンテナコア（磁性体コア）２１１およびアンテナ枠２１３（図７参照）にコイル２１２を巻いて構成されており、必要に応じて、耐食性に優れるカチオン電着塗装等で絶縁を施したものである。なお、アンテナコア２１１とは、コイル２１２が巻かれている部材である。
【００２０】
アンテナコア２１１は、例えば、磁性箔材としてのコバルト系のアモルファス金属箔（例；Ｃｏ５０ｗｔ％以上のアモルファス箔）を型で打ち抜くか、エッチングで成形したものを１０〜３０枚程接着して重ね合わせ、焼鈍等の熱処理を行って磁気特性を安定化させたものである。
また、本実施形態のアンテナコア２１１は、コイル２１２が巻かれる中央部（コイル巻部）が直線状に形成され、かつ、両端部（電波の磁束を取り込むリード部）が湾曲された平面形状のアモルファス箔を、同様の平面形状とされたアンテナ枠２１３内に配置して時計の厚み方向に積層して構成されている。なお、アンテナコアとしては、積層アモルファス箔に限定されず、フェライトを用いてもよく、この場合には、型等で成形し、熱処理して製造すればよい。
ここで、アンテナコア２１１の各アモルファス箔は、厚さ寸法が０．０１ｍｍ〜０．０５ｍｍ程度であるため、例えば３０枚積層した場合、アンテナコア２１１の積層方向の厚さ寸法は０．３〜１．５ｍｍ程度である。アモルファス箔材はフェライトに比べて磁気特性が良いため、より小型・薄型のアンテナ２１を実現できる。そして、アンテナ特性は、コアの体積によって影響されるため、アンテナを薄くする分、アンテナ特性を維持するには、アンテナの平面積を大きくするか、アンテナ長さ（コア長さ）を長くする必要がある。従って、本実施形態では、アンテナコア２１１の幅寸法は例えば０．５〜３．０ｍｍ程度であり、長さは１５〜３０ｍｍ程度とされている。なお、アモルファス金属板の厚みが０．０５ｍｍより厚くなると、板圧中央部は迅速な冷却を行うことが困難なため、金属はアモルファス化させることなく結晶化されてしまう。すなわち、アモルファス金属を製造するには、金属が結晶化される以前に、迅速な冷却作業を行う必要があり、そのためには、金属の厚みを薄くしなくてはならない。また、アモルファス金属板の厚みが０．０１ｍｍより薄くなると、組立作業等において、アモルファス金属板の強度が弱くなって変形しやすくなるので、部品の位置決め作業や部品の取扱作業等が非常にやりにくくなる。
【００２１】
コイル２１２は、長波標準電波（４０〜７７．５ｋＨｚ）を受信する場合は、２０ｍＨ程度のインダクタンス値が必要となる。このため、本実施形態では、コイル２１２として直径０．１μｍ程度のウレメット線を数百ターンほど巻いて構成している。
また、コイル２１２の巻き方としては、特に限定されず、乱巻きなどでもよいが、特に整列巻きが好ましい。整列巻きを採用すれば、コイル線材間の無駄な空間が無くなり、同じインダクタンス値を得るためのコイル体積を小さくできる。
【００２２】
同調回路部２２は、図２に示されるように、アンテナ２１に対して並列に接続された２つのコンデンサー２２Ａ，２２Ｂを備えて構成され、一方のコンデンサー２２Ｂはスイッチ２２Ｃを介してアンテナ２１に接続されている。
そして、駆動制御回路部３から出力される周波数切替え制御信号により、前記スイッチ２２Ｃをオンまたはオフすることで、アンテナ２１で受信する電波の周波数を切り替えるように構成されている。これにより、例えば、日本国内において、送信周波数４０ｋＨｚのおおたかどや山（東日本）の標準電波出力局と、送信周波数６０ｋＨｚのはがね山（西日本）の標準電波出力局とから出力されている２種類の周波数の長波標準電波を切り替えて受信することができるように構成されている。
【００２３】
受信回路２３は、図２に示されるように、アンテナ２１によって受信された長波標準電波信号を増幅する増幅回路２３１と、増幅された長波標準電波信号から所望の周波数成分のみを抜き出すバンドパスフィルター２３２と、長波標準電波信号を平滑化し復調する復調回路２３３と、増幅回路２３１のゲインコントロールを行い長波標準電波信号の受信レベルが一定になるように制御するＡＧＣ（Automatic Gain Control）回路２３４と、復調された長波標準電波信号をデコードして出力するデコード回路２３５とを備えて構成されている。
受信回路２３で受信され信号処理された時刻データは、図１に示すように、時刻データ記憶回路部２４に出力されて記憶される。
受信回路２３は、予め設定されたスケジュールや外部入力装置８による強制受信操作等によって、駆動制御回路部３から出力される受信制御信号に基づいて時刻情報の受信を開始する。
【００２４】
駆動制御回路部３には、図１に示されるように、パルス合成回路３１からのパルス信号が入力される。パルス合成回路３１は、水晶振動子などの基準振動子３１１からの基準パルスを分周してクロックパルスを生成し、また、基準パルスからパルス幅やタイミングの異なるパルス信号を発生させる。なお、この基準振動子３１１は、ＣＰＵに接続されて、回路のクロック信号となるが、周波数が長波受信周波数に近く、アンテナ２１にノイズとして信号が混入する可能性があるため、アンテナ２１から離して配置されている。
【００２５】
駆動制御回路部３は、一秒に一回出力され秒針を駆動させる秒駆動パルス信号ＰＳ１と、一分間に一回出力され時分針を駆動させる時分駆動パルス信号ＰＳ２とを、各秒駆動回路４１、時分駆動回路４２に出力して、指針の駆動を制御する。すなわち、各駆動回路４１，４２は、各回路４１、４２からのパルス信号によって駆動されるステッピングモーターからなる秒モーター４１１，時分モーター４２１を駆動し、これにより各モーター４１１，４２１に接続された秒針と、分針および時針とを駆動する。そして、各指針、モーター４１１，４２１、駆動回路４１，４２によって時刻を表示する時刻表示手段が構成されている。なお、時刻表示手段としては、１つのモーターで、時針、分針、秒針を駆動するものでもよい。
【００２６】
カウンタ部６は、秒をカウントする秒カウンタ回路部６１と、時分をカウントする時分カウンタ回路部６２とを備えて構成されている。
秒カウンタ回路部６１は、秒位置カウンタ６１１と、秒時刻カウンタ６１２と、一致検出回路６１３とを備えて構成されている。秒位置カウンタ６１１および秒時刻カウンタ６１２はともに６０カウント、つまり１Ｈｚの信号が入力された場合には６０秒でループするカウンタである。秒位置カウンタ６１１は、駆動制御回路部３から秒駆動回路４１に供給される駆動パルス信号（秒駆動パルス信号ＰＳ１）をカウントしている。つまり、秒針を駆動させる駆動パルス信号をカウントすることによって、秒針が示している秒針の位置をカウントしている。
秒時刻カウンタ６１２は、通常は、駆動制御回路部３から出力される１Ｈｚの基準パルス信号（クロックパルス)をカウントする。また、受信手段２で時刻データを受信した場合には、この時刻データのうちの秒データに合わせてカウンタ値が修正される。
【００２７】
同様に、時分カウンタ回路部６２は、時分位置カウンタ６２１と、時分時刻カウンタ６２２と、一致検出回路６２３とを備えて構成されている。時分位置カウンタ６２１および時分時刻カウンタ６２２はともに２４時間分の信号が入力されるとループするカウンタである。時分位置カウンタ６２１は、駆動制御回路部３から時分駆動回路４２に供給される駆動パルス信号（時分駆動パルス信号ＰＳ２）をカウントし、時針、分針が示している時分針の位置をカウントしている。
時分時刻カウンタ６２２は、通常は、駆動制御回路部３から出力される１Ｈｚのパルス（クロックパルス)をカウントする（正確には１Ｈｚを６０回計数したところで１カウントとする）。また、受信手段２で時刻データを受信した場合には、この時刻データのうちの時分データに合わせてカウンタ値が修正される。
【００２８】
各一致検出回路６１３，６２３は、各位置カウンタ６１１，６２１と各時刻カウンタ６１２，６２２とのカウント値の一致を検出し、一致しているか否かを示す検出信号を駆動制御回路部３に出力する。
駆動制御回路部３は、各一致検出回路６１３，６２３から不一致信号が入力されると、一致信号が入力されるまで各駆動パルス信号ＰＳ１，ＰＳ２を出力し続ける。このため、通常運針時は、駆動制御回路部３から１Ｈｚの基準信号によって各時刻カウンタ６１２，６２２のカウンタ値が変化して位置カウンタ６１１，６２１と不一致となると、各駆動パルス信号ＰＳ１，ＰＳ２が出力されて各指針が動くとともに、各位置カウンタ６１１，６２１が時刻カウンタ６１２，６２２と一致することになり、この動作を繰り返すことで、通常の運針制御が行われる。
また、受信した時刻データで各時刻カウンタ６１２，６２２が修正されると、そのカウンタ値に各位置カウンタ６１１，６２１のカウンタ値が一致するまで、各駆動パルス信号ＰＳ１，ＰＳ２が出力され続け、指針が早送りされて正しい時刻に修正される。
【００２９】
電力供給手段７は、自動巻発電機や太陽電池（ソーラー発電機）等によって構成された発電手段としての発電装置７１と、発電装置７１で発電された電力を蓄電する高容量二次電源７２とを備えて構成されている。高容量二次電源７２は、リチウムイオン電池のような二次電池が利用できる。なお、電力供給手段７としては、銀電池等の一次電池を用いてもよい。
【００３０】
外部入力手段としての外部入力装置８は、リュウズ等を備え、受信動作や時刻合わせなどを行うために利用される。
【００３１】
次に、電波修正時計１の具体的構造について説明する。
電波修正時計１は、図３，４にも示すように、約リング状に形成されたケーシング（胴）９１と、ケーシング９１の表面側に装着されたカバーガラス９２と、ケーシング９１の裏面側に着脱可能に取り付けられた裏蓋９３とを備えている。ケーシング９１は、ステンレス鋼、真鍮、チタン等の金属材で構成されている。このケーシング９１は、略円筒状に形成され、内周面が平面略円形に形成されている。従って、ケーシング９１によって、本実施形態における金属製の外装ケース（時計ケース）９が構成されている。外装ケース９内には、アンテナ２１を含む前記各構成が組み込まれている。なお、裏蓋９３やケーシング９１には、アンテナ２１で電波を受信することで発生する副磁路による過電流を防止するための磁性部材が設けられる構成などとしてもよい。
以上のように、外装ケース９内には、駆動制御回路部３およびカウンタ部６を構成する図示しない受信ＩＣ、ＣＰＵ、基準振動子３１１等が取り付けられた回路基板８０（図７参照）や、駆動手段４を構成するモーター４１１，４２１や輪列等が組み込まれた時計体（ムーブメント）９８と、電力供給手段７を構成する高容量二次電源（二次電池）７２と、時計体の表面側に設けられた文字板９５や地板９６等の各構成部材が組み込まれている。
なお、アンテナ２１は熱可塑性樹脂（ホットメルト）、紫外線硬化型エポキシ等を用いてプラスチック製の地板９６に固定されている。また、アンテナ２１の緩衝材としての機能を持たせるため、弾性のあるシーリング材を利用して固定してもよい。
【００３２】
ここで、アンテナ２１と受信ＩＣとは２本の配線で接続されている。すなわち、コイル２１２をアンテナ端部から取り出して回路基板８０にはんだ付けすることにより、アンテナ２１と受信ＩＣとは電気的に接続されている。これにより、アンテナ２１で受信された標準電波が受信手段２に出力可能となる。なお、前記電気的接続は、アンテナ２１にポリイミド等からなるフレキシブル基板を取り付け、この基板を回路基板８０にネジ留めすることなどで行ってもよい。
また、文字板９５は、黄銅（真鍮、Ｂｓ）、洋白（洋銀、ＮＳ）等の金属で製造されたものを用いることもできるが、プラスチックやセラミックなどの非導電性部材（電気絶縁体）、つまり標準電波を通し易い材質のもので構成されていることが好ましい。
裏蓋９３は、ケーシング９１と同様な金属材で構成してもよいが、プラスチックやガラス等の非導電性部材（電気絶縁体）、つまり電波を通し易い材質で構成されていることが好ましい。
【００３３】
アンテナ２１は、ケーシング９１つまり外装ケース９の円周状の内周面９１Ａに沿って配置されている。すなわち、図３に示すように、アンテナ２１のアンテナコア２１１の平面形状は、前述したように、コイル２１２が巻かれる中央部（コイル巻部）が直線状に形成され、かつ、両端部（電波の磁束を取り込むリード部）が湾曲された平面形状に形成され、コイル２１２はアンテナコア２１１の中央部に巻かれている。
また、アンテナ２１は、外装ケース９の中心に対して９時方向に配置されている。一方、高容量二次電源（二次電池）７２は、前記中心に対し略１２時方向に配置されている。なお、アンテナ２１とムーブメント９８との間には、緩衝材として、図示しないプラスチック製円板からなるスペーサが設けられている。
【００３４】
アンテナ２１で長波標準電波等の電波を受信するときは、図５にも示すように、電波の一部である磁界成分は、アンテナ２１のアンテナコア２１１を、その一方の端部２１１Ａから他方の端部２１１Ａへと通過する。すると、アンテナコア２１１に巻回されたコイル２１２に交流電流が誘導され、これに伴ってコイル２１２の両端に交流電圧が発生する。そして、この交流電圧がアナログ受信信号として受信回路２３に流れる。
そして、このアナログ受信信号を受信回路２３で増幅、復調、デコード等の処理をしてデジタルの時刻データとし、時刻データ記憶回路部２４に記憶している。すなわち、アンテナ２１は、アンテナコア２１１の各端部２１１Ａを結ぶ延長線方向（アンテナコア２１１やコイル２１２の軸方向）の磁界に反応する指向性を有している。従って、アンテナコア２１１の少なくとも一方の端部に、集磁素子となる秒モーター４１１のステーター４１３が、後述する磁気結合部材５０を介して磁気結合するように配置されていると、アンテナ２１の磁束量が増えてアンテナ特性を向上することができる。
【００３５】
秒モーター４１１は、外装ケース９の中心に対して６時方向に配置され、時分モーター４２１は、外装ケース９の中心に対して３時方向に配置されている。各モーター４１１，４２１は、外装ケース９の内周面９１Ａに略沿って配置されている。
さらに、アンテナ２１および秒モーター４１１が、電波修正時計１（ムーブメント９８）の中心部ではなく、外周部に配置されることにより、外部からの電波を受信しやすくなり、アンテナ特性を向上することができる。
【００３６】
次に、各モーター４１１，４２１および各駆動回路４１，４２の具体的構成に関して説明する。なお、各駆動回路４１，４２の構成は、基本的には同じであるため、秒モーター４１１の駆動回路４１を例示して説明する。
秒モーター４１１および時分モーター４２１は、パルス信号によって駆動されるステッピングモーターで構成されている。具体的には、図３に示すように、駆動回路４１，４２から供給される駆動パルスによって磁力を発生するモーターコイル４１２，４２２と、このモーターコイル４１２，４２２によって励磁されるステーター４１３，４２３と、ステーター４１３，４２３の内部において励磁される磁界により回転するローター４１４，４２４と、前記モーターコイル４１２，４２２内に挿通されて前記ステーター４１３，４２３に接続されたコア４１５，４２５とを備えている。
また、ステーター４１３，４２３は、パーマロイなどの高透磁率の部材で構成されている。
【００３７】
秒モーター４１１のローター４１４の回転は、かなを介してローター４１４に噛合された五番車、四番車等からなる図示しない輪列によって秒針に伝達される。一方、時分モーター４２１のローター４２４の回転は、三番車、二番車、日の裏車、筒車等からなる図示しない輪列によって分針、時針に伝達されている。
【００３８】
各駆動回路４１，４２は、図６に示すように、直列に接続されたｐチャンネルＭＯＳトランジスタＰ１およびｎチャンネルＭＯＳトランジスタＮ１と、直列に接続されたｐチャンネルＭＯＳトランジスタＰ２およびｎチャンネルＭＯＳトランジスタＮ２とによって構成されたＭＯＳトランジスタのブリッジ回路を備えている。
また、駆動回路４１，４２は、直列に接続された各トランジスタＰ１、Ｎ１の中間点Ｏ１と、直列に接続された各トランジスタＰ２、Ｎ２の中間点Ｏ２の間に、モーターコイル４１２、４２２を接続している。従って、これらのトランジスタＰ１，Ｐ２，Ｎ１，Ｎ２の各ゲート電極に駆動制御回路部３からそれぞれのタイミングで所定の極性およびパルス幅の制御パルスを印加することにより、モーターコイル４１２、４２２に極性の異なる駆動パルスを供給したり、あるいは、ローター４１４の回転検出用や磁界検出用の誘起電圧を励起する検出用のパルスを供給することができるようになっている。
【００３９】
秒モーター４１１のステーター４１３と、アンテナコア２１１の間には、図３、７に示すように、磁気結合部材５０が架け渡されており、磁気結合部材５０を介してステーター４１３とアンテナコア２１１は磁気結合している。
磁気結合部材５０は、フェライト製のブロックで構成されている。フェライトは絶縁体であるため、アンテナコア２１１、ステーター４１３および磁気結合部材５０は電気的に絶縁している。すなわち、ステーター４１３をアンテナコア２１１に電気的に接続すると、ステーター４１３内で閉じている磁束が漏れ、モーター特性が変わってしまう。よって、モーター４１１の回転検出特性に影響を与えることを防ぐため、磁気結合部材５０を絶縁体で構成し、ステーター４１３とアンテナコア２１１とを電気的に絶縁している。
なお、磁気結合部材５０と、アンテナコア２１１とは、共に磁性材料で構成されるため、同じ材質とされる場合もあり、かつ、予め接着剤などで一体化されることもあるが、アンテナコア２１１はコイル２１２が巻かれる部材であるのに対し、磁気結合部材５０はコイル２１２が巻かれることがない点で、アンテナコア２１１とは別部品である。
なお、フェライトは、複雑な形状加工が容易であるとともに、コストが低いというメリットもある。
【００４０】
アンテナコア２１１とステーター４１３とは、磁気結合部材５０の両端にそれぞれ重なるように接触して配置されている。より具体的には、ステーター４１３と磁気結合部材５０とは重なる面積が小さいため、より強い磁気結合を得るためにネジ４１６で固定している。
すなわち、ステーター４１３および磁気結合部材５０は、プラスチック製の地板９６にネジ４１６で固定されている。
なお、アンテナコア２１１と磁気結合部材５０の接触についても、ネジ締めの方が集磁の性能的には好ましいが、接触面積が大きいためネジ締めを行わなくても、十分な磁気結合が得られる。このため、本実施形態では、アンテナコア２１１および磁気結合部材５０はネジ締めを行わずに、ネジ締め箇所を減らしてコストダウンを図っている。
なお、各モーター４１１，４２１は、元々ネジ４１６で地板９６に固定されており、磁気結合部材５０の固定にもこのネジ４１６を兼用しているので、ネジ締め箇所は増加していない。
【００４１】
また、図７に示すように、秒モーター４１１のステーター４１３の高さ位置は、アンテナコア２１１の高さ位置と略同じ位置に配置されている。つまり、アンテナコア２１１とステーター４１３の各表面（文字板９５側の面）は厚み方向に揃っていて段差がなく、アンテナコア２１１およびステーター４１３はそれぞれ磁気結合部材５０の裏面（裏蓋９３側の面）に重なることで、隙間なく接触している。
【００４２】
地板９６は、アンテナ対向面（裏面）に磁気結合部材５０の形状に対応した磁気結合部材設置凹部９６Ａを備えている。このため、磁気結合部材設置凹部９６Ａに磁気結合部材５０を配置した場合、図７に示すように、地板９６の裏面と磁気結合部材５０の裏面とが段差無く連続するように構成されている。
このため、アンテナコア２１１を地板９６に固定した際に、アンテナコア２１１が磁気結合部材５０に密着するように構成されている。
なお、秒モーター４１１のモーターコイル４１２の厚さ寸法はアンテナコイル２１２の厚さ寸法よりも小さいため、本実施形態ではアンテナ２１の高さ寸法内に秒モーター４１１が納まるように配置されている。
【００４３】
アンテナコア２１１のもう一方の端部２１１Ａ、つまり秒モーター４１１と反対側のアンテナ端部には、アンテナコア２１１と非接触状態で高容量二次電源７２が配置されている。金属ケースを有する高容量二次電源７２にもわずかに集磁効果がある。よって、高容量二次電源７２をアンテナコア２１１のもう一方の端部２１１Ａに近接させる、つまり高容量二次電源７２に集まる磁束がアンテナコア２１１に届く範囲内に配置されていれば、高容量二次電源７２がアンテナコア２１１と非接触状態であっても、高容量二次電源７２で集めた磁束をアンテナコア２１１に集磁することができるため、アンテナ特性を向上することができる。なお、アンテナコア２１１の端部２１１Ａと、前記高容量二次電源７２とを直接接触させてもよいし、別の磁気結合部材５０を設けて磁気結合させてもよい。
【００４４】
このような構成による電波修正時計１の動作を説明する。
まず、通常時の時刻表示について説明する。通常は、駆動制御回路部３は、パルス合成回路３１から入力されるパルス信号（基準信号）を利用し、１Ｈｚのパルス信号を送って秒時刻カウンタ６１２のカウンタ値をカウントアップする。秒時刻カウンタ６１２がカウントアップして秒位置カウンタ６１１のカウンタ値と異なると、一致検出回路６１３はその不一致を検出して駆動制御回路部３に不一致信号を出力する。駆動制御回路部３は、その不一致信号に基づいて、秒駆動パルス信号ＰＳ１を出力する。この秒駆動パルス信号ＰＳ１の出力により、秒位置カウンタ６１１がカウントアップされるとともに、秒駆動回路４１の各トランジスタＰ１，Ｐ２，Ｎ１，Ｎ２が適宜オン、オフされることで秒モーター４１１が駆動され、秒針が駆動される。以上の処理は一致検出回路６１３で各カウンタ６１１，６１２の値が一致するまで行われる。従って、通常運針時は、秒時刻カウンタ６１２に１Ｈｚが入力されてカウンタ値が「１」カウントアップされる毎に、秒駆動パルス信号ＰＳ１が１つ出力され、秒針が１秒分毎ステップ運針される。
時分についても同様に、時分時刻カウンタ６２２でカウントされるカウント値に時分位置カウンタ６２１のカウント値を一致させるように駆動制御回路部３から時分駆動パルス信号ＰＳ２が出力され、時分駆動パルス信号ＰＳ２に応じて時分駆動回路４２から時分モーター４２１にパルス信号が出力され時針、分針が駆動される。
【００４５】
次に、時刻情報を受信する場合の動作について説明する。
駆動制御回路部３は、設定された受信開始時間になると、図８に示すように、受信制御信号をオン（Ｈレベル信号）に切り替えて受信回路２３を作動させる。同時に、駆動制御回路部３は、１秒ごとに出力していたモーター駆動用パルスの出力は停止する一方で、所定のパルス信号を秒駆動回路４１および時分駆動回路４２に出力し、各トランジスタＰ１，Ｐ２をオンして秒モーター４１１のモーターコイル４１２の両端を電位ＶＤＤに接続してショート状態する。つまり、受信中は秒モーター４１１のノイズの影響を避けるために、ショート状態にすることで運針は行わないようにする。なお、本実施形態では、電位ＶＤＤ（高電圧側）を基準電位（ＧＮＤ）に取り、ＶＳＳ（低電圧側）を電源電圧として生成している。
【００４６】
駆動制御回路部３は、秒モーター４１１のモーターコイル４１２をショート状態にした後、受信回路２３を駆動して時刻情報の受信を開始する。なお、外部入力装置８による受信動作開始の操作によって強制的に開始（強制受信）させることも可能であるが、この場合も外部入力装置８によって受信動作が指示されると、駆動制御回路部３はまず秒モーター４１１のモーターコイル４１２をショートしてその電圧を所定電位（例えばＶＤＤ）に固定した後、受信回路２３を駆動して時刻情報の受信を開始する。
受信回路２３が作動されると、アンテナ２１を介して受信された電波（時刻情報）は受信回路２３で処理されたのち、時刻データ記憶回路部２４に記憶される。このとき、受信した時刻データが正しいか否かの検証も合わせて行われる。具体的には、長波標準電波の時刻情報は１分毎のデータとなるため、受信した複数の時刻データが１分間隔の異なるデータになっているか等で判断される。
受信された時刻情報が正しいデータと判断されると、駆動制御回路部３の指示によって、時刻データは秒時刻カウンタ６１２と時分時刻カウンタ６２２に出力され、秒時刻カウンタ６１２と時分時刻カウンタ６２２のカウント値が修正される。この際、秒モーター４１１のモーターコイル４１２のショート状態も解除される。
そして、各時刻カウンタ６１２，６２２のカウント値が修正された結果、各位置カウンタ６１１，６２１と異なる値になると、それらのカウント値が一致するまで各一致検出回路６１３，６２３の不一致信号を受けて、駆動制御回路部３は、各駆動パルス信号ＰＳ１、ＰＳ２を出力し、各指針を駆動する。この指針の駆動は、各カウンタ値が一致するまで早送りで継続されるため、受信時刻に合わせて指針位置が自動的に修正され、時刻合わせが行われる。
【００４７】
ここで、秒モーター４１１のモーターコイル４１２をショートさせることが必要な点を、図９に基づいて説明する。
図９は、アンテナコア２１１とステーター４１３との距離に対するアンテナ特性を、モーターコイル４１２の状態毎に測定した結果である。この図９から明らかなように、アンテナ特性は、モーターコイル４１２の状態（オープンかショートか）で異なる。モーターコイル４１２がオープン状態では、モーターコイル４１２に誘起電圧が発生してしまい、磁束がモーター４１１に入るため、アンテナ２１に入る外部磁束が減少するので、アンテナ２１との距離が近くなるほどアンテナ特性が劣化する。この図９は、アンテナコア２１１およびステーター４１３を非接触で配置した場合であるが、本実施形態のように磁気結合部材５０を介して磁気的に結合してある場合には、距離０ｍｍの場合とほぼ同等の特性となるため、モーターコイル４１２をオープン状態にするとアンテナ特性がさらに低下する。そこで、アンテナ特性を向上させるにはモーターコイル４１２をショート状態にしておく必要がある。モーターコイル４１２がショート状態の時は、モーターに集まる磁束がアンテナコア２１１に流れるので、良好なアンテナ特性を得ることができる。さらに、モーターコイル４１２がショート状態の時は、ステーター４１３とアンテナコア２１１との距離が近くなるほど良好なアンテナ特性が得られ、磁気結合部材５０を介して磁気的に結合している本実施形態では、距離０ｍｍの場合とほぼ同等の特性となるため、非常に良好なアンテナ特性が得られることになる。
【００４８】
なお、時分モーター４２１は、アンテナコア２１１から離れて配置されているため、必ずしも、時分モーター４２１のモーターコイル４２２を受信時にショート状態とする必要は無いが、時分モーター４２１のモーターコイル４２２もショート状態としたほうが、受信への影響をより低減できる点で好ましい。
【００４９】
前述の本実施形態によれば、次のような効果が得られる。
（１）アンテナ２１のアンテナコア２１１と秒モーター４１１のステーター４１３の間に、磁気結合部材５０を配置し、かつ、駆動制御回路部３により、受信回路２３の駆動時つまり電波受信時にはモーターコイル４１２を短絡させることで、秒モーター４１１を停止するように構成したので、モーターコイル４１２を、アンテナ２１の集磁素子として利用できる。このため、集磁の効果を高めることができ、アンテナ２１を鎖交する電波の磁界の磁束量を、集磁素子であるモーターコイル４１２を通すことで高めることができるので、アンテナ２１の特性を向上できる。
その上、駆動制御回路部３により受信回路２３の駆動時に、モーターコイル４１２を所定の電位（ＶＳＳ）に固定して安定化させているので、オープン状態となっている場合に比べて、アンテナ特性をより一層向上することができる。
【００５０】
（２）アンテナコア２１１およびステーター４１３間を磁気結合部材５０で結合しているので、アンテナコア２１１およびステーター４１３が離れて配置されていても、磁気結合力を高めることができる。
特に、磁気結合部材５０は、アンテナ２１や秒モーター４１１に比べて厚さ寸法も薄く形成でき、地板９６に形成した磁気結合部材設置凹部９６Ａに収納することもできるため、他の部品の配置に影響することなく、設置できる。例えば、厚み寸法が大きいアンテナ２１のアンテナコア２１１と秒モーター４１１のステーター４１３とを直接重ねて接触させると、時計１の厚みが増してしまう。この場合、厚み方向の制約があるため、このような構成を実現することは困難である。一方、本実施形態では、磁気結合部材５０を、アンテナコア２１１およびステーター４１３に重ねて接触させることで、アンテナコア２１１およびステーター４１３を磁気結合しているので、時計１の薄型化も図ることができる。
このため、特に、腕時計のように、ケース９内のスペースが小さく、各部品レイアウトの制約が大きい電波修正時計１において、アンテナコア２１１およびステーター４１３を近接配置あるいは接触配置することができない場合でも、前記磁気結合部材５０を設けることで、磁気結合力を十分に高めることができ、アンテナ２１の特性を向上できる。従って、本発明は、特に腕時計のような小型の電波修正時計１に適したものにできる。
【００５１】
（３）さらに、本実施形態では、ステーター４１３および磁気結合部材５０を、ネジ４１６で固定して密着しているので、接触面積が小さくても強い磁気結合を得ることができる。
その上、ネジ４１６は、秒モーター４１１を地板９６に固定するネジを兼用しているので、ネジ締め箇所が増加することもなく、部品コストや製造コストが増加することも防止できる。
一方、アンテナコア２１１と磁気結合部材５０とは接触面積を大きくして、ネジ締めを行わなくても十分な磁気結合を得ることができるようにしている。このため、ネジ締め箇所を少なくでき、コストを低減できる。
【００５２】
（４）磁気結合部材５０は、絶縁体であるフェライト製のブロックで構成しているので、アンテナコア２１１およびステーター４１３を電気的に絶縁させることができる。このため、アンテナコア２１１およびステーター４１３に対して磁気結合部材５０を接触して配置した場合にも、秒モーター４１１の回転検出特性に影響を与えずに、アンテナ特性を向上することができる。
【００５３】
（５）アンテナ２１およびモーターコイル４１２を、外装ケース９の内周面９１Ａに沿って配置しているので、アンテナ２１やモーターコイル４１２において電波が鎖交する端面と、この端面に対向する位置にある内周面９１Ａとの間隔を比較的大きくすることができる。このため、モーターコイル４１２やコイル２１２を鎖交する標準電波の磁界が外装ケース９によって妨げられることが少なくなり、金属製の外装ケース９を用いた場合でも、アンテナ特性の低下を抑えることができる。
従って、金属製のケース９を用いても外部無線情報を受信することができるため、ケースをプラスチック等で構成した場合に比べて高級感の高い外観意匠が得られ、これによりデザイン上の制約も少ない電波修正時計１を提供することができる。その上、外装ケース９に切欠部を形成したり、外装ケースをプラスチックと金属の２重ケースにする必要がないため、製造コストも低減できる。さらに、アンテナ２１を内周面９１Ａに近接して配置できるので、アンテナ２１の長さもある程度確保できて、アンテナ特性の低下も防止できるとともに、時計１を小型化することもできる。
【００５４】
（６）高容量二次電源（二次電池）７２をアンテナコア２１１のもう一方の端部に配置しているので、金属ケースを有する高容量二次電源７２も集磁部材として利用できる。このため、アンテナコア２１１には、秒モーター４１１に加えて高容量二次電源７２も磁気的に結合しているので、その分、集磁効果を向上でき、アンテナ特性も向上することができる。
【００５５】
〔第二実施形態〕
次に、本発明の第二実施形態について説明する。第二実施形態は、磁気結合部材５０の形状が前記第一実施形態と相違するものであるため、その部分のみを説明する。なお、以下の各実施形態において、前述した各実施形態と同一または同様の構成部分には同一符号を付し、説明を省略または簡略する。
第二実施形態では、図１０に示すように、秒モーター４１１のステーター４１３の文字板９５側の表面高さ位置が、アンテナ２１のアンテナコア２１１の表面高さ位置と異なる位置に配置されている。そこで、アンテナコア２１１とステーター４１３との厚み方向の段差に対応するために、磁気結合部材５０のアンテナ対向面（裏蓋９３側の面）にアンテナコア２１１の形状に対応したコア設置凹部５０Ａを設ける。このように、磁気結合部材５０の厚みを部分的に変えることにより、磁気結合部材５０を、高さが異なるアンテナコア２１１およびステーター４１３の表面に接触でき、秒モーター４１１に入った磁束を、磁気結合部材５０を介してアンテナ２１に流すことができる。
なお、磁気結合部材５０のアンテナコア２１１に接触する領域の厚さ寸法は、他の部分に比べて薄くなるが、磁気結合が十分にできる厚さ寸法が確保できればよい。さらに、本実施形態は、アンテナコア２１１の表面よりステーター４１３の表面が裏蓋９３側に位置している場合の構造であったが、逆に、アンテナコア２１１の表面よりステーター４１３の表面が文字板９５側に位置している場合には、磁気結合部材５０のステーター４１３との接触面にステーター設置凹部を設けることで、アンテナコア２１１とステーター４１３との厚み方向の段差に対応するようにしてもよい。
【００５６】
この第二実施形態においても、前記第一実施形態と同様の効果に加えて次の効果を奏することができる。
（７）アンテナコア２１１とステーター４１３を磁気結合させるにあたり、アンテナコア２１１およびステーター４１３に重なって配置される磁気結合部材５０にコア設置凹部５０Ａを設け、磁気結合部材５０の厚みを適宜変えることにより、アンテナコア２１１およびステーター４１３の厚さ方向の段差を吸収しているので、ムーブメント９８を薄くすることができ、時計１の薄型化を図ることができる。
【００５７】
〔第三実施形態〕
次に、第三実施形態について図１１を参照して説明する。第三実施形態は、アンテナ２１Ａの構成が前記第一，二実施形態と相違するものであるため、その部分のみを説明する。
ここで、図１１（Ａ）は、破断された左右中央部の左側はアンテナ２１Ａを裏蓋側から見た平面図であり、右側は文字板側から見た平面図である。図１１（Ｂ）は、アンテナ２１Ａを時計厚み方向に切断した断面図である。図１１（Ｃ）は、アンテナ２１Ａのアンテナコア２１１を示す平面図である。
【００５８】
アンテナ２１Ａのアンテナコア２１１は、図１１に示すように、磁気結合部材５１と一体で構成されている。
すなわち、アンテナ２１Ａは、図１１に示すように、アンテナコア２１１と、磁気結合部材５１と、コイル２１２と、アンテナ枠２１３と、回路基板８０とを備えている。第三実施形態においても、コイル２１２に巻かれている部材をアンテナコア２１１、コイル２１２には巻かれず、ステーター４１３と接触する部材を磁気結合部材５０としている。
アンテナコア２１１は、前記各実施形態と同じく、直線部および直線部の両端側から延長された湾曲部を備えた平面形状に形成されたアモルファス金属箔を積層して構成されている。また、アンテナ枠２１３および回路基板８０は、前記実施形態と同じものである。
【００５９】
磁気結合部材５１は、アンテナコア２１１と同じくアモルファス箔材を積層して構成されている。なお、磁気結合部材５１は、ワニスなどの非導電性の接着部材でアンテナコア２１１の端部２１１Ａに接着されている。この非導電性の接着部材は、磁気結合部材５１においてステーター４１３に接触する面にも塗布されている。このため、磁気結合部材５１は、アンテナコア２１１およびステーター４１３に電気的に絶縁されており、このためアンテナコア２１１およびステーター４１３間も電気的に絶縁されている。
なお、磁気結合部材５１には、ネジ４１６が挿通される孔が形成されており、ステーター４１３と磁気結合部材５１はネジ締めにより結合される。
【００６０】
この第三実施形態においても、前記各実施形態と同様の効果に加えて次の効果を奏することができる。
（８）アモルファス金属箔を積層して構成された磁気結合部材５１を、アンテナコア２１１に接着して一体化しているので、磁気結合部材５０をアンテナコア２１１に接触させていただけの前記実施形態に比べて磁気結合力を強くでき、アンテナ性能も向上できる。
【００６１】
〔第四実施形態〕
次に、第四実施形態について説明する。第四実施形態は、２つのモーター４１１，４２１のステーター４１３，４２３を、磁気結合部材５０を介してアンテナコア２１１に磁気的に結合していることが前記各実施形態と相違するものであるため、その部分のみを説明する。
第四実施形態では、図１２に示すように、アンテナコア２１１の両側の端部に各モーター４１１，４２１を配置している。アンテナコア２１１とステーター４１３，４２３の間には、磁気結合部材５０をそれぞれ設置している。各磁気結合部材５０は、その長手方向がモーターコイル４１２，４２２の軸方向およびアンテナ２１の軸方向にほぼ沿って配置されている。
そして、本実施形態では、アンテナコア２１１の両端部２１１Ａと、ステーター４１３，４２３は、各磁気結合部材５０を介して磁気結合されている。アンテナコア２１１とステーター４１３，４２３とは磁気結合部材５０に接触して配置されることで磁気結合力が強くなり、集磁の効果が活用できるため、アンテナ性能を高めることができる。
【００６２】
この第四実施形態においても、前記各実施形態の効果に加えて次の効果を奏することができる。
（９）アンテナ２１の両側に各モーター４１１，４２１を配置し、各ステーター４１３，４２３と、アンテナコア２１１との間に、磁気結合部材５０を配置して磁気的に結合しているので、アンテナ２１の片側のみに秒モーター４１１を配置している場合に比べて、アンテナ２１の特性を向上できる。
また、モーター４１１，４２１をアンテナ２１の内側に配置した場合、磁束の向きが打ち消しあってしまうので、集磁の効果が低くなる。これに対し、本実施形態のモーター４１１，４２１は、アンテナコア２１１の端部の延長線上に配置され、外装ケース９の円周状の内周面９１Ａにほぼ沿って配置されている。このため、外部からの磁界を効率良く集めることができる。
【００６３】
（１０）２つのモーター４１１，４２１を、アンテナ２１を挟んで配置したので、一方のモーターコイル４１２からアンテナ２１を介してモーターコイル４２２に磁束が流れる場合、および、他方のモーターコイル４２２からアンテナ２１を介してモーターコイル４１２に磁束が流れる場合のいずれの場合も、電波はモーターコイル４１２，４２２を介してアンテナ２１を鎖交するため、電波の向きに関係なく、アンテナ特性を向上することができる。
【００６４】
〔第五実施形態〕
次に、第五実施形態について説明する。第五実施形態は、５つのモーターから構成されていることが前記各実施形態と相違するものであるため、その部分のみを説明する。
第五実施形態では、図１３に示すように、５つのモーター４１１，４２１，４３１，４４１，４５１から構成されている。これらのモーターは、時分針や秒針以外に、クロノグラフ針、日や曜などを指示する針等を駆動するために用いられる。すなわち、本実施形態の電波修正時計１は、クロノグラフ機能等を備えた多機能時計である。
【００６５】
そして、前記第四実施形態と同様に、磁気結合部材５０を介してアンテナコア２１１の両端部とステーター４１３，４２３は磁気結合している。
クロノグラフ機能を備えた時計のように、狭いスペース内に複数のモーターを配置する場合、モーターの数が増えるほどアンテナ自体を小さく収納しなくてはならず、アンテナ２１の性能も低下する。
そこで、アンテナコア２１１の両端部にモーター４１１，４２１を設置し、磁気結合部材５０で磁気的に結合することで、アンテナ２１の性能を向上させることができる。また、時計内にモーターが複数ある場合、アンテナコア２１１の端部付近にもモーターが配置されるので、磁気結合部材５０を用いてアンテナコア２１１にステーター４１３，４２３を接続しやすくなる。
【００６６】
この第五実施形態においても、前記各実施形態の効果に加えて次の効果を奏することができる。
（１１）５つのモーターのうちの２つのモーター４１１，４２１を、磁気結合部材５０を介してアンテナコア２１１の両端部に磁気結合させたので、時計内に複数のモーターを収納するためにアンテナの大きさを小さくせざるを得ない場合でも、より多くの磁束線を集めることができるので、アンテナ２１の性能を向上でき、アンテナ自身を大きくした時と同じ効果を得ることができる。
【００６７】
〔他の実施形態〕
なお、本発明は、前記各実施形態に限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００６８】
例えば、前記各実施形態では、磁気結合部材５０，５１を、アンテナコア２１１と、ステーター４１３，４２３に厚み方向に重ねて接触させていたが、例えば、磁気結合部材５０，５１の端面をアンテナコア２１１やステーター４１３，４２３の端面に接触させてもよい。但し、各端面は面積が小さいため、前記実施形態の構成のほうが磁気結合力を高めることができる点で有利である。
【００６９】
また、アンテナ２１の配置位置は、ケース９内において時計の９時方向に限らず、時計の１２時方向や、６時方向、３時方向などの他の位置でもよい。但し、３時方向には通常、リュウズの巻真やボタンの軸等が設けられ、これらと干渉しないようにアンテナを配置しなければならないため、他の６，９，１２時方向に配置することが好ましい。特に、２時および４時にボタンが配置されている場合には、アンテナ２１を１２時方向や６時方向に配置すると、アンテナ２１やモーターコイルがボタンの軸に干渉しないように、アンテナ２１の長さが制限されるおそれがあるため、前記実施形態のように、アンテナを９時方向に配置することが最も好ましい。
【００７０】
アンテナコア２１１を構成するアモルファス箔材の平面形状は前記実施形態のものに限らず、例えば、矩形状のものでもよいし、円弧状のものでもよい。
また、前記実施形態では、アモルファス箔を時計１の厚み方向（縦方向）に積層してアンテナコア２１１を製造していたが、アモルファス箔を平面矩形状に形成して時計の平面方向（時計の厚み方向に対して直交する方向つまり横方向）に積層してアンテナコアを製造してもよい。この場合、アンテナコア２１１を内周面９１Ａに沿って湾曲させる場合、各アモルファス箔を湾曲させる必要があるが、アモルファス箔は薄膜であるため、比較的容易に湾曲できるため問題はない。その上、各アモルファス箔を平面円弧形状に成形する必要が無く、平面矩形状（長方形状）に成形できるため、各アモルファス箔つまりはコアを簡単にかつ効率的に製造することができる。
さらに、アンテナコアとしては、積層アモルファス箔で構成されたものに限らず、フェライトコアなどの磁性体を用いてもよい。
【００７１】
さらに、アンテナ２１によって受信する無線情報としては、時刻情報を含む長波標準電波に限定されない。例えば、時刻情報を受信する場合でも、その無線信号としては、３００ＭＨｚ帯の微弱電波無線、４００ＭＨｚ帯の特定小電力無線、２．４ＧＨｚ帯の短距離無線通信等を利用してもよい。これらの無線を受信する場合には、周波数が高いため、コイル２１２のターン数は少なくてよく、アンテナ２１も小さくできる。
【００７２】
また、電波を用いた無線通信に限らず、電磁結合方式や電磁誘導方式等の他の無線通信方式を用いてもよい。なお、電磁結合や電磁誘導方式は、通信機器同士を近接させる必要があるが、ステンレス等の非磁性体であれば金属部分でも透過して通信が可能なため、アンテナが内蔵されるケースをステンレス等の金属製で構成できる利点がある。
【００７３】
さらに、前記アンテナ２１を用いて通信する無線情報としては、時刻情報に限らない。例えば、時計１内にＩＣカード機能を内蔵させ、電車の定期券や各種プリペイドＩＣカードのような情報を送受信するために利用してもよい。例えば、ケース９内にＩＣチップとアンテナ等を組み込み、ＩＣカードを用いた改札機や入退室管理機、各種の課金支払機等に腕時計を近接させて情報をやり取りできるようにしてもよい。この場合、別途、ＩＣカードを出し入れする必要がなく、時計をはめた手を近付けるだけでよいため、操作性を非常に向上することができる。
従って、本発明の外装ケース９に内蔵されるアンテナ２１としては、標準電波を受信する場合のような受信専用に用いるものでもよいし、非接触ＩＣを用いたタグのように、情報を送受信するために用いてもよいし、さらには送信専用に用いてもよく、これらは本発明を適用する電子時計の種類に応じて適宜選択すればよい。
【００７４】
また、アンテナ２１は、ループアンテナに限らず、誘導体アンテナ等の他のアンテナを用いてもよく、これらは送信あるいは受信する無線情報の種類等に応じて適宜設定すればよい。なお、ループアンテナを用いる場合は、磁性体コアが挿入されていないものを用いてもよい。
【００７５】
その他、本発明の実施の際の具体的な構造および手順は、本発明の目的を達成できる範囲で他の構造などに適宜変更できる。
【符号の説明】
【００７６】
１…電波修正時計、２…受信手段、３…駆動制御回路部、４…駆動手段、９…外装ケース、２１…アンテナ、７１…発電装置、７２…高容量二次電源、８０…回路基板、９１…ケーシング、９１Ａ…内周面、９２…カバーガラス、９３…裏蓋、９５…文字板、９６…地板、２１１…アンテナコア、２１２…コイル、５０，５１…磁気結合部材、４１１…秒モーター、４２１…時分モーター、４１２，４２２…モーターコイル、４１３，４２３…ステーター、４１６…ネジ。
【図１】
2010223920.tif 000003
【図２】
2010223920.tif 000004
【図３】
2010223920.tif 000005
【図４】
2010223920.tif 000006
【図５】
2010223920.tif 000007
【図６】
2010223920.tif 000008
【図７】
2010223920.tif 000009
【図８】
2010223920.tif 000010
【図９】
2010223920.tif 000011
【図１０】
2010223920.tif 000012
【図１１】
2010223920.tif 000013
【図１２】
2010223920.tif 000014
【図１３】
2010223920.tif 000015